(57)【要約】【課題】通常通り使用者が水を浴びることが可能であり、且つ、浴室の清掃者に大きな負担を掛けることがなく浴室の床面に堆積した皮脂汚れを十分に洗い流すことができるシャワーヘッド装置を提供する。【解決手段】流入部から流入した水を浴室の床面へ吐出するための第２吐水部と、を備え、第２吐水部から吐出される水の流速は、流入部から第１吐水部へ流入した水の給水圧と流入部から第２吐水部へ流入した水の給水圧とが同じ場合において、第１吐水部から吐出される水の流速より、大きい。【選択図】図４
2016168262.tif 000002
【特許請求の範囲】
【請求項１】
浴室内に設置された水栓装置に接続され、この水栓装置が給水源から供給した水を吐出するシャワーヘッド装置であって、
シャワーヘッド本体と、
前記シャワーヘッド本体の一端側に設けられ、給水源から供給された水が流入する流入部と、
前記流入部よりも前記シャワーヘッド本体の他端側に近い位置に設けられ、前記流入部から流入した水を使用者の身体へ吐出するための第１吐水部と、
前記流入部から流入した水を浴室の床面へ吐出するための第２吐水部と、を備え、
前記第１吐水部及び前記第２吐水部のどちらから水を吐出させるかは選択可能であり、
前記第２吐水部から吐出される水の流速は、前記流入部から前記第１吐水部へ流入した水の給水圧と前記流入部から前記第２吐水部へ流入した水の給水圧とが同じ場合において、前記第１吐水部から吐出される水の流速より、大きいことを特徴とするシャワーヘッド装置。
【請求項２】
前記第２吐水部は、前記第１吐水部が設けられた前記シャワーヘッド本体の他端側に近い位置に設けられていることを特徴とする請求項１に記載のシャワーヘッド装置。
【請求項３】
前記第２吐水部は、前記第１吐水部が水を吐出させる方向とは異なる方向に水を吐出させることを特徴とする請求項２に記載のシャワーヘッド装置。
【請求項４】
前記第２吐水部は、前記シャワーヘッド本体の他端側の端面に設けられたことを特徴とする請求項３に記載のシャワーヘッド装置。
【請求項５】
前記第１吐水部には、前記流入部から流入した水を使用者の身体へ吐出するための第１吐水孔が複数形成され、
前記第２吐水部には、前記流入部から流入した水を浴室の床面へ吐出するための第２吐水孔が複数形成され、
前記第２吐水孔の数を、前記第１吐水孔の数より少なくしたことで、前記第２吐水孔から吐出される水の流速を前記第１吐水孔から吐出される水の流速より大きくしたことを特徴とする請求項１乃至４の何れか１つに記載のシャワーヘッド装置。  
【請求項６】
前記第１吐水部には、前記流入部から流入した水を使用者の身体へ吐出するための第１吐水孔が複数形成され、
前記第２吐水部には、前記流入部から流入した水を浴室の床面へ吐出するための第２吐水孔が複数形成され、
前記第２吐水孔の径を、前記第１吐水孔の径より小さくしたことで、前記第２吐水孔から吐出される水の流速を前記第１吐水孔から吐出される水の流速より大きくしたことを特徴とする請求項１乃至４の何れか１つに記載のシャワーヘッド装置。  
【発明の詳細な説明】
【技術分野】
【０００１】
本発明の態様は、水を吐出する吐水部が設けられたシャワーヘッド装置に関する。
【背景技術】
【０００２】
近年、浴室に設置され、水を吐出する吐水部が設けられたシャワーヘッド装置が知られている。
【０００３】
特許文献１には、浴室に設置され、水を吐出する吐水部が設けられたシャワーヘッド装置について記載されている。
【先行技術文献】
【特許文献】
【０００４】
【特許文献１】特開２０１３−１８３７８９号公報
【発明の概要】
【発明が解決しようとする課題】
【０００５】
浴室の床面においては、排水性能を高めるために、表面に凹状のパターン形状が施されているものが多いが、このパターン形状に皮脂汚れ等が堆積してしまい、排水性能が低下してしまうことがある。パターン形状に皮脂汚れ等が堆積することを防ぐためには、清掃者が定期的にブラシで擦り洗いを行う必要があり、清掃者が高齢者であった場合、この擦り洗いの動作は非常に負担が大きいものであった。
このブラシによる擦り洗いの必要を無くすためには、シャワーヘッド装置から吐出される水によって、パターン形状に堆積した皮脂汚れ等を洗い流せればよいが、特許文献１に記載されたシャワーヘッド装置から吐出される水のように、使用者が浴びることを前提に設計されたシャワーヘッド装置から吐出される水では水勢が弱く、パターン形状に堆積した皮脂汚れを十分に洗い流すことが困難であった。
【０００６】
本発明は、かかる課題の認識に基づいてなされたものであり、通常通り使用者が水を浴びることが可能であり、且つ、浴室の清掃者に大きな負担を掛けることがなく浴室の床面に堆積した皮脂汚れを十分に洗い流すことができるシャワーヘッド装置を提供することを目的とする。
【課題を解決するための手段】
【０００７】
第１の発明は、浴室内に設置された水栓装置に接続され、この水栓装置が給水源から供給した水を吐出するシャワーヘッド装置であって、シャワーヘッド本体と、前記シャワーヘッド本体の一端側に設けられ、給水源から供給された水が流入する流入部と、前記流入部よりも前記シャワーヘッド本体の他端側に近い位置に設けられ、前記流入部から流入した水を使用者の身体へ吐出するための第１吐水部と、前記流入部から流入した水を浴室の床面へ吐出するための第２吐水部と、を備え、前記第１吐水部及び前記第２吐水部のどちらから水を吐出させるかは選択可能であり、前記第２吐水部から吐出される水の流速は、前記流入部から前記第１吐水部へ流入した水の給水圧と前記流入部から前記第２吐水部へ流入した水の給水圧とが同じ場合において、前記第１吐水部から吐出される水の流速より大きいことを特徴とするシャワーヘッド装置である。
このシャワーヘッド装置によれば、第２吐水部から吐出される水の流速は、流入部から第１吐水部へ流入した水の給水圧と流入部から第２吐水部へ流入した水の給水圧とが同じ場合において、第１吐水部から吐出される水の流速より大きい。このことから、使用者が身体を洗浄する際には第１吐水孔から吐出される水を利用することで、通常通り使用者が水を浴びることが可能であり、浴室の清掃者が浴室の床面を清掃する際には第１吐水孔から吐出される水より流速の大きい第２吐水孔から吐出される水を利用することで、浴室の清掃者に大きな負担を掛けることがなく浴室の床面に堆積した皮脂汚れを十分に洗い流すことができる。
【０００８】
第２の発明は、第１の発明において、前記第２吐水部は、前記第１吐水部が設けられた前記シャワーヘッド本体の他端側に近い位置に設けられていることを特徴とするシャワーヘッド装置である。
このシャワーヘッド装置によれば、第２吐水部は、第１吐水部が設けられたシャワーヘッド本体の他端側に近い位置に設けられている。このことより、第１吐水部から吐出される水により身体を洗浄する際のシャワーヘッド本体の握る位置と同じ位置を握った状態で、第２吐水部から吐出される水により浴室の床面に堆積した皮脂汚れを洗浄することができる。したがって、使用者の身体を洗浄するときと、浴室の床面を洗浄するときとで、シャワーヘッド本体の握り方を変える必要がなく、使い勝手が良い。
【０００９】
第３の発明は、第２の発明において、前記第２吐水部は、前記第１吐水部が水を吐出させる方向とは異なる方向に水を吐出させることを特徴とするシャワーヘッド装置である。
このシャワーヘッド装置によれば、第２吐水部は、第１吐水部が水を吐出させる方向とは異なる方向に水を吐出させるため、使用者が身体を洗浄するためにシャワーヘッド本体を握った際に、誤って第２吐水部から吐出された水を浴びてしまうことで、使用者が不快感を感じてしまうことを抑制できる。
【００１０】
第４の発明は、第３の発明において、前記第２吐水部は、前記シャワーヘッド本体の他端側の端面に設けられたことを特徴とするシャワーヘッド装置である。
このシャワーヘッド装置によれば、第２吐水部はシャワーヘッド本体の他端側の端面に設けられているため、浴室の清掃者が浴室の床面を清掃するために清掃者の腕の長手方向の延長線上がシャワーヘッド本体の長手方向となるようにシャワーヘッド本体の側面を握った状態で、浴室の床面に向かって第２吐水部からの水を吐出することができるため、第１吐水部から吐出される水より流速の大きい第２吐水部から吐出される水の反力によって、清掃者の手首に負担が掛かることがなく、浴室の床面を清掃することができる。
【００１１】
第５の発明は、第１乃至４の何れか１つの発明において、前記第１吐水部には、前記流入部から流入した水を使用者の身体へ吐出するための第１吐水孔が複数形成され、前記第２吐水部には、前記流入部から流入した水を浴室の床面へ吐出するための第２吐水孔が複数形成され、前記第２吐水孔の数を、前記第１吐水孔の数より少なくしたことで、前記第２吐水孔から吐出される水の流速を前記第１吐水孔から吐出される水の流速より大きくしたことを特徴とするシャワーヘッド装置である。
このシャワーヘッド装置によれば、第２吐水部に形成された第２吐水孔の数を、第１吐水部に形成された第１吐水孔の数より少なくしたことで、第２吐水孔から吐出される水の流速を第１吐水孔から吐出される水の流速より大きくした。このことより、第２吐出部の第２吐水孔から吐出される水の流速を第１吐出部の第１吐水孔から吐出される水の流速より大きくするために、ポンプ装置など複雑な装置や機構を用いずとも、簡単に第２吐出部の第２吐水孔から吐出される水の流速を第１吐出部の第１吐水孔から吐出される水の流速より大きくすることができる。
【００１２】
第６の発明は、第１乃至４の何れか１つの発明において、前記第１吐水部には、前記流入部から流入した水を使用者の身体へ吐出するための第１吐水孔が複数形成され、前記第２吐水部には、前記流入部から流入した水を浴室の床面へ吐出するための第２吐水孔が複数形成され、前記第２吐水孔の径を、前記第１吐水孔の径より小さくしたことで、前記第２吐水孔から吐出される水の流速を前記第１吐水孔から吐出される水の流速より大きくしたことを特徴とするシャワーヘッド装置である。
このシャワーヘッド装置によれば、第２吐水部に形成された第２吐水孔の径を、第１吐水部に形成された第１吐水孔の径より小さくしたことで、第２吐水孔から吐出される水の流速を第１吐水孔から吐出される水の流速より大きくした。このことより、第２吐出部の第２吐水孔から吐出される水の流速を第１吐出部の第１吐水孔から吐出される水の流速より大きくするために、ポンプ装置など複雑な装置や機構を用いずとも、簡単に第２吐出部の第２吐水孔から吐出される水の流速を第１吐出部の第１吐水孔から吐出される水の流速より大きくすることができる。
【発明の効果】
【００１３】
本発明の態様によれば、通常通り使用者が水を浴びることが可能であり、且つ、浴室の清掃者に大きな負担を掛けることがなく浴室の床面に堆積した皮脂汚れを十分に洗い流すことができるシャワーヘッド装置が提供される。
【図面の簡単な説明】
【００１４】
【図１】本発明の一実施形態におけるに係るシャワーヘッド装置が設置された浴室を示す模式的斜視図である。
【図２】図１におけるシャワーヘッド装置の模式的斜視図である。
【図３】図１における水栓装置及びシャワーヘッド装置を表す模式的ブロック図である。
【図４】図２におけるシャワーヘッド装置を用いて使用者が浴室の床面を洗浄している状態を示す模式的斜視図である。
【図５】図２におけるシャワーヘッド装置を用いて使用者が身体を洗浄している状態を示す模式的斜視図である。
【図６】本発明の他の実施形態におけるシャワーヘッド装置の模式的斜視図である。
【発明を実施するための形態】
【００１５】
以下、本発明の実施の形態について図面を参照しつつ説明する。なお、各図面中、同様の構成要素には同一の符号を付して詳細な説明は適宜省略する。  
【００１６】
図１は、本発明の一実施形態に係るシャワーヘッド装置が設置された浴室を示す模式的斜視図である。
図１に示すように、浴室１は、カウンター２と、水栓装置３と、浴槽５と、防水パン６と、洗い場床面７と、を備えている。水栓装置３は、例えば金属製の水栓本体（図示せず）を、例えば樹脂製のカバー（図示せず）で覆うことによって形成されている。浴槽５は、例えば繊維強化プラスチック（ＦＲＰ）で成形されており、浴室１に設置された内槽５Ａと、内槽５Ａから外方略水平に延出するフランジ５Ｂと、フランジ５Ｂから連続して垂下したリム５Ｃとを有する浴槽本体５Ｄと、リム５Ｃの下方に着脱自在に設置され浴槽本体５Ｄの洗い場７側前面を掩蔽するエプロン部材８と、を有している。カウンター２は、例えばＦＲＰで成形されている。防水パン６及び洗い場床面７は、例えば熱可塑性樹脂によって成形されている。洗い場床面７の表面は、例えば排水性向上及び滑り止めのための凹凸が形成されている。防水パン６は洗い場床面７に隣接して設けられており、この防水パン６には浴槽５が設置されている。１５は浴室１における洗い場床面７の前方の壁面であって、洗い場床面７の浴槽と反対側もしくは浴室１の壁面１５の反対側に浴室１の出入り口がある。
【００１７】
浴室１の壁面１５には水栓装置３が設置されたカウンター２が設置されている。水栓装置３には、可とう性のシャワーホースを通じて、シャワーヘッド４Ａが接続されている。シャワーヘッド装置４Ａは壁面１５に設置された、例えば熱可塑性樹脂によって成形されたシャワーヘッド保持部材９Ｂに固定することができる。
【００１８】
エプロン部材８には、浴室用機能部材である、例えば熱可塑性樹脂によって成形されたカウンター部材９Ａ、もしくは、シャワーヘッド保持部材９Ｂが取り付けられている。
カウンター部材９Ａは、洗体用洗剤１６を載せることができる面積を有している。このカウンター部材９Ａがエプロン部材８に取り付けられている状態において、カウンター部材９Ａの上面は、略水平である。このことより、カウンター部材９Ａに戴置される洗体用洗剤１６が倒れることを抑制できる。シャワーヘッド保持部材９Ｂにはシャワーヘッド装置４Ａを固定することができる。なお、このシャワーヘッド装置４Ａは、例えば湯水の出し止めを行なうことのできる機構を有しているものであっても良い。
【００１９】
図２は、図１におけるシャワーヘッド装置４Ａの模式的斜視図である。図３は、図１における水栓装置３及びシャワーヘッド装置４Ａを表す模式的ブロック図である。
図２及び３に示すように、シャワーヘッド装置４Ａは、例えば熱可塑性樹脂によって成形されたシャワーヘッド本体１４と、シャワーヘッド本体１４の一端側に設けられ、給水源から供給された水が流入する流入部１６と、水を使用者の身体へ吐出するための第１吐水部１０と、流入部１６から流入した水を浴室１の洗い場床面７へ吐出するための第２吐水部１１と、を備えている。第１吐水部１０は、流入部１６よりもシャワーヘッド本体１４の他端側に近い位置に設けられている。第２吐水部１１は、第１吐水部１０が設けられたシャワーヘッド本体１４の他端側の端面１７、即ちシャワーヘッド本体１４の先端（上面）に設けられている。第１吐水部１０には、水を吐出するための吐水孔である第１吐水孔１０ａが複数形成されている。第２吐水部１１には、水を吐出するための吐水孔である第２吐水孔１１ａが複数形成されている。
【００２０】
第１吐水部１０及び第２吐水部１１のどちらから水を吐出させるかは選択可能であり、シャワーヘッド装置４Ａに備え付けの切替部（切替スイッチ）１２で切り替えることができる。なお、この切替部１２は浴室１のいずれの場所に備えられていても良い。例えば、水栓装置３に備えられていても良い。
【００２１】
第２吐水部１１から吐出される水の流速は、流入部１６から第１吐水部１０へ流入した水の給水圧と流入部１６から第２吐水部１１へ流入した水の給水圧とが同じ場合において、第１吐水部１０から吐出される水の流速より大きい。このことより、使用者が身体を洗浄する際には第１吐水孔１０から吐出される水を利用することで、通常通り使用者が水を浴びることが可能であり、浴室の清掃者が浴室１の洗い場床面７を清掃する際には第１吐水孔１０から吐出される水より流速の大きい第２吐水孔１１から吐出される水を利用することで、浴室１の清掃者に大きな負担を掛けることがなく、浴室１の洗い場床面７に堆積した皮脂汚れを十分に洗い流すことができる。
【００２２】
第２吐水部１１は、第１吐水部１０が水を吐出させる方向とは異なる方向に水を吐出させる。このことより、第２吐水部１１は、第１吐水部１０が水を吐出させる方向とは異なる方向に水を吐出させるため、使用者が身体を洗浄するためにシャワーヘッド本体１４を握った際に、誤って第２吐水部１１から吐出された水を浴びてしまうことで、使用者が不快感を感じてしまうことを抑制できる。
【００２３】
第２吐水部１１に形成された第２吐水孔１１ａの径は、第１吐水部１０に形成された第１吐水孔１０ａの径と、略同一の大きさである。なお、本発明における「略同一の大きさの径」とは、径の大きさの誤差が１０パーセント以内のものと定義する。また、第２吐水部１１に形成された第２吐水孔１１ａの数は、第１吐水部１０に形成された第１吐水孔１０ａの数より、少ない。このことより、第２吐出部１１の第２吐水孔１１ａから吐出される水の流速を第１吐出部１０の第１吐水孔１０ａから吐出される水の流速より大きくするために、ポンプ装置など複雑な装置や機構を用いずとも、簡単に第２吐水孔１１ａから吐出される水の流速を第１吐水孔１０ａから吐出される水の流速より大きくすることができる。また、このことより、第１吐水部１０と第２吐水部１１までの水の流路を統一できるため、流路を分けることによりシャワーヘッド装置４Ａが大きくなってしまうことを抑制できる。これにより、幅広い使用者がシャワーヘッド本体１４を握りやすい状態で把持することができる。また、流路を統一することで、シャワーホースの径を大きくしたり、特殊な形状にする必要がない。これにより、流路を分けた場合に生じるシャワーホースの径の増大に伴うシャワーヘッド装置４Ａの操作性を損なう問題点を解決でき、シャワーヘッド装置４Ａの取り回しを損なうことなくシャワー装置４Ａを使用することができる。
【００２４】
図４は、図２のシャワーヘッド装置４Ａに設けられた第２吐水部１１から水を吐水させている模式図である。
図４に示すように、第２吐水部１１はシャワーヘッド本体１４の他端側の端面１７に設けられているため、浴室１の清掃者が浴室１の洗い場床面７を清掃するために清掃者の腕の長手方向の延長線上がシャワーヘッド本体１４の長手方向となるようにシャワーヘッド本体１４の側面を握った状態で、浴室１の洗い場床面７に向かって第２吐水部１１からの水を吐出することができる。なお、清掃者の腕の長手方向とは、使用者の肘から手首へ向かう方向であり、シャワーヘッド本体１４の長手方向とは、例えば流入部１６から端面１７へ向かう方向である。このことより、使用者は、手首を曲げることなくシャワーヘッド本体１４の側面を握った状態で、浴室１の洗い場床面７に向かって第２吐水部１１からの水を吐出することができる。このため、第１吐水部１０から吐出される水より流速の大きい第２吐水部１１から吐出される水の反力によって、清掃者の手首に負担が掛かることがなく、浴室１の洗い場床面７を清掃することができる。なお、第２吐水部１１から吐出される水の反力とは、第２吐水部１１から吐出される水の勢いによって、端面１７から流入部１６へ向かう方向に生じる力のことである。
【００２５】
図５は、図２におけるシャワーヘッド装置４Ａを用いて使用者が身体を洗浄している状態を示す模式的斜視図である。
図５に示すように、第２吐水部１１はシャワーヘッド本体１４の他端側の端面１７に設けられており、第１吐水部１０から吐出される水とは異なる方向へ水を吐出させるため、使用者が第１吐水部１０から吐出される水で身体を洗浄するためにシャワーヘッド本体１４を握った際に、誤って第２吐水部１１から吐出された水を浴びてしまうことで、使用者が不快感を感じてしまうことを抑制できる。
【００２６】
第１吐水部１０と第２吐水部１１を備えたシャワーヘッド装置４Ａは、流入部１６をシャワーホースから取り外すことで、他のシャワーヘッド装置と単体で交換することが可能である。言い換えると、使用者を洗浄する吐水部しかもたない通常のシャワーヘッド装置をシャワーホースから取り外し、本発明のシャワーヘッド装置４Ａをシャワーホースに装着することで、容易に本発明である洗い場床面７を清掃するための吐水部を別途備えたシャワーヘッド装置４Ａを提供できる。また、このシャワーヘッド装置４Ａを作動するために、ポンプ装置など新たな設備を必要としないために、新たな設備を配置させるための設置空間を浴室１に設ける必要がなく、浴室１内のスペースを損なうことがない。また、浴室１外にも同様に新たな設備の設置が必要ないために、設置スペースの確保が不要である。例えば浴室１の天井裏に設備を置く必要も無いため、浴室１の天井高さを十分に確保できる。同様に、天井の補強なども行う必要がない。
【００２７】
図６は、本発明の他の実施形態におけるシャワーヘッド装置の模式的斜視図である。
図６に示すように、第２吐水部１１に形成された第２吐水孔１１ａの数は、第１吐水部１０に形成された第１吐水孔１０ａの数と、同じである。また、第２吐水部１１に形成された第２吐水孔１１ａの径は、第１吐水部１０に形成された第１吐水孔１０ａの径より、小さい。このことより、第２吐出部１１の第２吐水孔１１ａから吐出される水の流速を第１吐出部１０の第１吐水孔１０ａから吐出される水の流速より大きくするために、ポンプ装置など複雑な装置や機構を用いずとも、簡単に第２吐水孔１１ａから吐出される水の流速を第１吐水孔１０ａから吐出される水の流速より大きくすることができる。また、このことより、第１吐水部１０と第２吐水部１１までの水の流路を統一できるため、流路を分けることによりシャワーヘッド装置４Ａが大きくなってしまうことを抑制できる。これにより、幅広い使用者がシャワーヘッド本体１４を握りやすい状態で把持することができる。また、流路を統一することで、シャワーホースの径を大きくしたり、特殊な形状にする必要がない。これにより、流路を分けた場合に生じるシャワーホースの径の増大に伴うシャワーヘッド装置４Ａの操作性を損なう問題点を解決でき、シャワーヘッド装置４Ａの取り回しを損なうことなくシャワー装置４Ａを使用することができる。
【００２８】
以上より、本発明の一実施形態によれば、通常通り使用者が水を浴びることが可能であり、且つ、浴室１の清掃者に大きな負担を掛けることがなく浴室１の洗い場床面７に堆積した皮脂汚れを十分に洗い流すことができるシャワーヘッド装置４Ａを提供することができる。
【００２９】
以上、本発明の一実施形態について説明した。しかし、本発明はこれらの記述に限定されるものではない。
【００３０】
本発明の一実施形態において、第１吐水孔１０ａ及び第２吐水孔１１ａの数を変更したり、第１吐水孔１０ａ及び第２吐水孔１１ａの径の大きさを変更したりすることで、ポンプ装置など複雑な装置や機構を用いずとも、簡単に第２吐水孔１１ａから吐出される水の流速を第１吐水孔１０ａから吐出される水の流速より大きくするような構成としたが、本発明はそれに限らず、ポンプ装置や、給水源からの流路を工夫することで、第２吐水孔１１ａから吐出される水の流速を第１吐水孔１０ａから吐出される水の流速より大きくするようなものであっても良い。
【００３１】
前述の実施の形態に関して、当業者が適宜設計変更を加えたものも、本発明の特徴を備えている限り、本発明の範囲に包含される。例えば、浴室１及びシャワーヘッド装置４Ａが備える各要素の形状、寸法、材質、配置などや、浴室１及びシャワーヘッド装置４Ａの設置形態などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００３２】
１ 浴室
２ カウンター
３ 水栓装置
４Ａ シャワーヘッド
５ 浴槽
５Ａ 内槽
５Ｂ フランジ
５Ｃ リム
５Ｄ 浴槽本体
６ 防水パンの浴槽載置部
７ 洗い場床面
７Ａ 土手部
８ エプロン部材
９Ａ カウンター部材
９Ｂ シャワーヘッド保持部材  
１０ 第１吐水部
１０ａ 第１吐水孔
１１ 第２吐水部
１１ａ 第２吐水孔
１２ 切替部（切替スイッチ）
１４ シャワーヘッド本体
１５ 壁面
１６ 流入部
１７ 端面
【図１】
2016168262.tif 000003
【図２】
2016168262.tif 000004
【図３】
2016168262.tif 000005
【図４】
2016168262.tif 000006
【図５】
2016168262.tif 000007
【図６】
2016168262.tif 000008